(57)【要約】      （修正有）【課題】全閉時に第１扉と第２扉との間に設けられる隙間を小さくしても、開放時の第１扉と第２扉との干渉を抑制でき、かつ開放時のデザイン性の低下も抑制できるスライド扉の開閉機構を提供する。【解決手段】第１閉じ位置と第１開き位置との間でスライド移動可能に第１扉２１を支持し、第１開き位置において第１扉２１を第２扉２２と前後に重なり合わせる第１支持部と、第２閉じ位置と第２開き位置との間で移動可能に第２扉２２を支持する第２支持部と、第１扉２１の第１閉じ位置から第１開き位置への移動に連動させ、第１扉２１との干渉を避けるように第２扉２２を移動させる連動機構と、を備えたことを特徴とするスライド扉１４の開閉機構１６である。【選択図】図１
2020026657.tif 000002
【特許請求の範囲】
【請求項１】
隣接する第１扉と第２扉とを有し、少なくとも前記第１扉をスライド式としたスライド扉に用いられ、前記第１扉と前記第２扉とを閉じた全閉時には隣接した前記第１扉と前記第２扉とをフラットな状態とし、前記第１扉を開放した際には、前記第１扉と前記第２扉とを前後に重なり合わせる前記スライド扉の開閉機構であって、
第１閉じ位置と第１開き位置との間でスライド移動可能に前記第１扉を支持し、前記第１開き位置において前記第１扉を前記第２扉と前後に重なり合わせる第１支持部と、
第２閉じ位置と第２開き位置との間で移動可能に前記第２扉を支持する第２支持部と、
前記第１扉の前記第１閉じ位置から前記第１開き位置への移動に連動させ、前記第１扉との干渉を避けるように前記第２扉を移動させる連動機構と、
を備えたことを特徴とするスライド扉の開閉機構。
【請求項２】
前記連動機構は、前記第１扉を前記第１閉じ位置から前記第１開き位置に移動させる際、前記第１扉を前後方向に移動させるとともに、前記第１扉の前後方向への移動とは反対方向に前記第２扉を移動させることを特徴とする請求項１記載のスライド扉の開閉機構。
【請求項３】
前記第１支持部は、前記第１扉を前記第２扉に接近させる方向への操作のみで前記第１扉を前記第１閉じ位置から前記第１開き位置に移動させ、前記第１扉を前記第２扉から離間させる方向への操作のみで前記第１扉を前記第１開き位置から前記第１閉じ位置に移動させることを特徴とする請求項１又は２に記載のスライド扉の開閉機構。
【請求項４】
前記第１扉は、前記第１閉じ位置にある状態において、前記第２閉じ位置にある前記第２扉と対向する第１側端面を有し、
前記第２扉は、前記第２閉じ位置にある状態において、前記第１閉じ位置にある前記第１扉の前記第１側端面と対向する第２側端面を有し、
前記連動機構は、前記第１扉の前記第１閉じ位置から前記第１開き位置への移動に応じて、前記第１側端面を前記第２側端面から前後に離間させるように前記第１扉を傾斜させるとともに、前記第２扉を移動させて、前記第２側端面を前記第１側端面と反対側に離間させるように前記第２扉を傾斜させることを特徴とする請求項１〜３のいずれか１つに記載のスライド扉の開閉機構。
【請求項５】
前記連動機構は、前記第１扉の前記第１閉じ位置から前記第１開き位置への移動の開始と同時に前記第２扉を移動させることを特徴とする請求項１〜４のいずれか１つに記載のスライド扉の開閉機構。
【請求項６】
前記連動機構は、前記第１扉の前記第１閉じ位置から前記第１開き位置への移動の操作力を機械的に前記第２扉に伝達することにより、前記第２扉を移動させることを特徴とする請求項５記載のスライド扉の開閉機構。
【請求項７】
前記第２支持部は、前記第２閉じ位置と前記第２開き位置との間でスライド移動可能に前記第２扉を支持し、前記第２開き位置において前記第２扉を前記第１扉と前後に重なり合わせ、
前記連動機構は、前記第２扉の前記第２閉じ位置から前記第２開き位置への移動に連動させ、前記第２扉との干渉を避けるように前記第１扉を移動させることを特徴とする請求項１〜６のいずれか１つに記載のスライド扉の開閉機構。
【発明の詳細な説明】
【技術分野】
【０００１】
本発明の態様は、一般的に、スライド扉の開閉機構に関する。
【背景技術】
【０００２】
隣接する第１扉と第２扉とを有し、少なくとも第１扉をスライド式としたスライド扉において、デザイン性を向上させるために、第１扉と第２扉とが閉じた全閉状態においてフラットになる構成がある。例えば、特許文献１のように、全閉時には隣接した第１扉と第２扉とがフラットな状態になり、スライド式の第１扉を開放した際には、第１扉と第２扉とが前後に重なり合うスライド扉の開閉機構が知られている。
【０００３】
このようなスライド扉の開閉機構では、全閉状態から第１扉を開放する際に、第１扉及び第２扉の相対する側端面同士が干渉してしまう虞がある。このため、全閉状態から各扉同士が前後に重なる状態へ移行する際の可動領域を考慮し、全閉状態において第１扉と第２扉との間に隙間を設ける必要がある。
【０００４】
しかしながら、こうした隙間は、スライド扉のデザイン性を低下させてしまう可能性がある。例えば、第１扉及び第２扉において、全閉時に相対する側端面の形状を斜面状に形成することなども考えられるが、この場合には、第１扉又は第２扉を開放した際のデザイン性が低下しまうことが懸念される。
【０００５】
このため、全閉時には隣接した第１扉と第２扉とがフラットな状態になり、第１扉を開放した際には、第１扉と第２扉とが前後に重なり合うスライド扉の開閉機構では、全閉時に第１扉と第２扉との間に設けられる隙間を小さくしても、開放時の第１扉と第２扉との干渉を抑制でき、かつ開放時のデザイン性の低下も抑制できるようにすることが望まれる。
【先行技術文献】
【特許文献】
【０００６】
【特許文献１】特開２００７−３２１７７号公報
【発明の概要】
【発明が解決しようとする課題】
【０００７】
本発明は、かかる課題の認識に基づいてなされたものであり、全閉時に第１扉と第２扉との間に設けられる隙間を小さくしても、開放時の第１扉と第２扉との干渉を抑制でき、かつ開放時のデザイン性の低下も抑制できるスライド扉の開閉機構を提供することを目的とする。
【課題を解決するための手段】
【０００８】
第１の発明は、隣接する第１扉と第２扉とを有し、少なくとも前記第１扉をスライド式としたスライド扉に用いられ、前記第１扉と前記第２扉とを閉じた全閉時には隣接した前記第１扉と前記第２扉とをフラットな状態とし、前記第１扉を開放した際には、前記第１扉と前記第２扉とを前後に重なり合わせる前記スライド扉の開閉機構であって、第１閉じ位置と第１開き位置との間でスライド移動可能に前記第１扉を支持し、前記第１開き位置において前記第１扉を前記第２扉と前後に重なり合わせる第１支持部と、第２閉じ位置と第２開き位置との間で移動可能に前記第２扉を支持する第２支持部と、前記第１扉の前記第１閉じ位置から前記第１開き位置への移動に連動させ、前記第１扉との干渉を避けるように前記第２扉を移動させる連動機構と、を備えたことを特徴とするスライド扉の開閉機構である。
【０００９】
このスライド扉の開閉機構によれば、第１扉の第１閉じ位置から第１開き位置への移動に連動させ、第１扉との干渉を避けるように第２扉を移動させる連動機構を有するため、全閉時に第１扉と第２扉との間に設けられる隙間を小さくしても、開放時の第１扉と第２扉との干渉を抑制することができる。また、第１扉及び第２扉において、全閉時に相対する側端面の形状を斜面状に形成する必要なども無い。例えば、第１扉及び第２扉の各側端面を前面と略直交する面とすることができる。従って、開放時のデザイン性の低下も抑制することができる。
【００１０】
第２の発明は、第１の発明において、前記連動機構は、前記第１扉を前記第１閉じ位置から前記第１開き位置に移動させる際、前記第１扉を前後方向に移動させるとともに、前記第１扉の前後方向への移動とは反対方向に前記第２扉を移動させることを特徴とするスライド扉の開閉機構である。
【００１１】
このスライド扉の開閉機構によれば、第１扉との干渉を避けるように第２扉を移動させる際の挙動を小さく抑えることが可能となる。例えば、第１扉を移動させた際に、第２扉が大きく動き、使用者に違和感を与えてしまうことなどを抑制することができる。従って、全閉時に第１扉と第２扉との間に設けられる隙間をより小さく抑えることが可能となり、デザイン性をより向上させることができる。さらには、第１扉及び第２扉の各側端面の幅（扉の奥行）を大きく設けた場合などにも、僅かな挙動で扉同士の干渉を避けることができる。
【００１２】
第３の発明は、第１又は第２の発明において、前記第１支持部は、前記第１扉を前記第２扉に接近させる方向への操作のみで前記第１扉を前記第１閉じ位置から前記第１開き位置に移動させ、前記第１扉を前記第２扉から離間させる方向への操作のみで前記第１扉を前記第１開き位置から前記第１閉じ位置に移動させることを特徴とするスライド扉の開閉機構である。
【００１３】
このスライド扉の開閉機構によれば、例えば、第１扉を前方に引いた後にスライド移動させるなどの操作が不要となり、第１扉の開閉操作を簡単にし、スライド扉の使い勝手を向上させることができる。
【００１４】
第４の発明は、第１〜第３のいずれか１つの発明において、前記第１扉は、前記第１閉じ位置にある状態において、前記第２閉じ位置にある前記第２扉と対向する第１側端面を有し、前記第２扉は、前記第２閉じ位置にある状態において、前記第１閉じ位置にある前記第１扉の前記第１側端面と対向する第２側端面を有し、前記連動機構は、前記第１扉の前記第１閉じ位置から前記第１開き位置への移動に応じて、前記第１側端面を前記第２側端面から前後に離間させるように前記第１扉を傾斜させるとともに、前記第２扉を移動させて、前記第２側端面を前記第１側端面と反対側に離間させるように前記第２扉を傾斜させることを特徴とするスライド扉の開閉機構である。
【００１５】
このスライド扉の開閉機構によれば、第１扉及び第２扉を傾斜させることで、第２扉の挙動をより小さくすることが可能となり、全閉時に第１扉と第２扉との間に設けられる隙間をより小さく抑えることができる。例えば、第１扉を第２扉に接近又は離間させる方向への操作のみで開閉可能とした場合にも、第１扉及び第２扉を傾斜させるだけで扉同士の干渉を抑制でき、簡単な構成で実現することができる。
【００１６】
第５の発明は、第１〜第４のいずれか１つの発明において、前記連動機構は、前記第１扉の前記第１閉じ位置から前記第１開き位置への移動の開始と同時に前記第２扉を移動させることを特徴とするスライド扉の開閉機構である。
【００１７】
このスライド扉の開閉機構によれば、第１扉の開放動作と同時に第２扉の移動が始まるため、第２扉の挙動をより小さくすることが可能となり、全閉時に第１扉と第２扉との間に設けられる隙間をより小さく抑えることができる。
【００１８】
第６の発明は、第５の発明において、前記連動機構は、前記第１扉の前記第１閉じ位置から前記第１開き位置への移動の操作力を機械的に前記第２扉に伝達することにより、前記第２扉を移動させることを特徴とするスライド扉の開閉機構である。
【００１９】
このスライド扉の開閉機構によれば、第１扉の第１閉じ位置から第１開き位置への移動の開始と同時に第２扉を移動させる連動機構の構成を、簡単な構成で実現することができる。
【００２０】
第７の発明は、第１〜第６のいずれか１つの発明において、前記第２支持部は、前記第２閉じ位置と前記第２開き位置との間でスライド移動可能に前記第２扉を支持し、前記第２開き位置において前記第２扉を前記第１扉と前後に重なり合わせ、前記連動機構は、前記第２扉の前記第２閉じ位置から前記第２開き位置への移動に連動させ、前記第２扉との干渉を避けるように前記第１扉を移動させることを特徴とするスライド扉の開閉機構である。
【００２１】
このスライド扉の開閉機構によれば、第１扉及び第２扉のどちらもスライド移動可能とし、第２扉の移動に連動させて第１扉を移動させることにより、スライド扉の使い勝手をより向上させることができる。例えば、第１扉及び第２扉を上下に隣接させ、第１扉及び第２扉を上下にスライド移動させる場合には、使用者の高さに合わせた最適な高さで第１扉及び第２扉の開閉が可能となる。また、例えば、第１扉及び第２扉を左右に隣接させ、第１扉及び第２扉を左右にスライド移動させる場合には、左右どちらからでも開閉することが可能となり、使用場所の限定などを抑制することができる。
【発明の効果】
【００２２】
本発明の態様によれば、全閉時には隣接した第１扉と第２扉とがフラットな状態になり、第１扉を開放した際には、第１扉と第２扉とが前後に重なり合うスライド扉の開閉機構において、全閉時に第１扉と第２扉との間に設けられる隙間を小さくしても、開放時の第１扉と第２扉との干渉を抑制でき、かつ開放時のデザイン性の低下も抑制できるスライド扉の開閉機構が提供される。
【図面の簡単な説明】
【００２３】
【図１】実施形態に係るスライド扉及びその開閉機構を備えたキャビネットを模式的に表す斜視図である。
【図２】図２（ａ）〜図２（ｄ）は、実施形態に係るスライド扉及びその開閉機構を備えたキャビネットを模式的に表す側面図である。
【図３】実施形態に係る開閉機構の一部を拡大して模式的に表す部分側面図である。
【図４】実施形態に係る開閉機構の一部を拡大して模式的に表す部分側面図である。
【図５】実施形態に係る開閉機構の一部を拡大して模式的に表す部分側面図である。
【図６】実施形態に係る開閉機構の一部を拡大して模式的に表す部分側面図である。
【図７】実施形態に係る開閉機構の一部を拡大して模式的に表す分解斜視図である。
【図８】実施形態に係る開閉機構の一部を拡大して模式的に表す部分側面図である。
【図９】実施形態に係る開閉機構の一部を拡大して模式的に表す部分側面図である。
【図１０】実施形態に係る開閉機構の一部を拡大して模式的に表す部分側面図である。
【図１１】実施形態に係る開閉機構の一部を拡大して模式的に表す部分側面図である。
【図１２】実施形態に係るスライド扉及びその開閉機構を備えたキャビネットの変形例を模式的に表す側面図である。
【図１３】図１３（ａ）〜図１３（ｃ）は、実施形態に係るスライド扉及びその開閉機構を備えたキャビネットの変形例を模式的に表す側面図である。
【図１４】図１４（ａ）〜図１４（ｃ）は、実施形態に係るスライド扉及びその開閉機構を備えたキャビネットの変形例を模式的に表す側面図である。
【発明を実施するための形態】
【００２４】
以下、本発明の実施の形態について図面を参照しつつ説明する。なお、各図面中、同様の構成要素には同一の符号を付して詳細な説明は適宜省略する。
【００２５】
図１は、実施形態に係るスライド扉及びその開閉機構を備えたキャビネットを模式的に表す斜視図である。  
図１に表したように、キャビネット１０は、収納棚１２と、スライド扉１４と、開閉機構１６と、を備える。
【００２６】
収納棚１２は、前方を開口させた開口箱状である。収納棚１２は、例えば、略矩形の開口箱状である。収納棚１２は、前方を開放した収納スペースＳＰ（図２参照）を有し、収納スペースＳＰに物品を収納可能とする。
【００２７】
キャビネット１０は、例えば、キッチン空間に設置されるキッチンキャビネットである。キャビネット１０は、例えば、対面式のシステムキッチンの後方に背面収納として設置され、収納スペースＳＰに食器や調理器具などの物品を収納する。
【００２８】
但し、キャビネット１０の用途は、上記に限定されるものではない。キャビネット１０は、例えば、システムキッチンのシンクやカウンタの下方など、システムキッチンに組み込まれて使用されるキッチンキャビネットなどでもよい。また、キャビネット１０は、キッチンキャビネットに限ることなく、他の用途で用いられる任意のキャビネットでよい。
【００２９】
スライド扉１４は、収納棚１２の前方に設けられる。以下、本願明細書においては、収納棚１２に対してスライド扉１４の設けられる方向を「前方」とし、これと反対の方向を「後方」とする。そして、前方を向いた状態における上方、下方、右側方、及び左側方を、それぞれ「上方」、「下方」、「右側方」、及び「左側方」とする。前方は、換言すれば、収納棚１２の開口する方向である。
【００３０】
スライド扉１４は、隣接する第１扉２１と第２扉２２とを有する。この例において、第１扉２１及び第２扉２２は、上下方向に隣接している。第１扉２１及び第２扉２２は、例えば、左右方向に隣接してもよい。
【００３１】
第１扉２１及び第２扉２２は、スライド式である。但し、スライド扉１４においては、少なくとも第１扉２１が、スライド式であればよい。第２扉２２は、例えば、ヒンジ式の扉などでもよい。また、この例では、第１扉２１及び第２扉２２を上下方向に隣接させる場合に、下側を第１扉２１とし、上側を第２扉２２としている。これとは反対に、上側を第１扉２１とし、下側を第２扉２２としてもよい。第１扉２１及び第２扉２２を左右方向に並べる場合には、右側を第１扉２１としてもよいし、左側を第１扉２１としてもよい。
【００３２】
第１扉２１及び第２扉２２を上下方向にスライド移動可能とした場合、キャビネット１０は、例えば、図示を省略した落下防止機構をさらに備える。落下防止機構は、例えば、バネなどを有し、バネなどの付勢力を第１扉２１及び第２扉２２の重さとバランスさせることにより、第１扉２１及び第２扉２２を上下方向の所望の位置で保持できるようにする。但し、落下防止機構の構成は、これに限ることなく、上下にスライド移動する第１扉２１及び第２扉２２の急激な落下を抑制することができる任意の構成でよい。また、例えば、第１扉２１及び第２扉２２を左右方向にスライド移動させるようにした場合には、落下防止機構は、不要である。
【００３３】
第１扉２１は、前方を向く前面２１ａを有する。第２扉２２は、前方を向く前面２２ａを有する。第１扉２１及び第２扉２２の形状は、例えば、収納棚１２の形状に対応した略矩形状である。第１扉２１及び第２扉２２は、例えば、略矩形の板状である。
【００３４】
第１扉２１及び第２扉２２の厚みは、例えば、夫々２１ｍｍであり、その際、隣接する第１扉２１と第２扉２２とにおいて、第１扉２１と第２扉２２との間の隣接する方向（例えば上下方向）の隙間ＧＰは、５ｍｍ程度（例えば２ｍｍ以上８ｍｍ以下）である。換言すれば、前面２１ａと前面２２ａとの間の隙間ＧＰは、５ｍｍ程度である。これにより、スライド扉１４において高いデザイン性を得ることができる。
【００３５】
第１扉２１及び第２扉２２は、全閉時において、収納棚１２の前方を向く開口１２ａ（図２参照）の全体を覆う。そして、第１扉２１及び第２扉２２は、全閉時の位置から移動する（開放する）ことにより、収納棚１２の開口１２ａ（収納スペースＳＰ）の一部を前方に露出させる。これにより、第１扉２１又は第２扉２２を開放することで、収納棚１２の収納スペースＳＰに対して物品を出し入れすることが可能となる。
【００３６】
スライド扉１４は、２つの扉２１、２２に限ることなく、３つ以上の扉を有してもよい。また、キャビネット１０は、スライド扉１４以外の扉や引き出しなどを、さらに備えてもよい。このように、スライド扉１４が３つ以上の扉を有する場合やキャビネット１０が別の扉などをさらに備える場合などには、第１扉２１及び第２扉２２は、全閉時において、収納棚１２の前方を向く開口１２ａの一部のみを覆う。すなわち、第１扉２１及び第２扉２２は、全閉時において、収納棚１２の前方を向く開口１２ａの少なくとも一部を覆う構成であればよい。
【００３７】
開閉機構１６は、第１扉２１及び第２扉２２を開閉可能に支持する。換言すれば、開閉機構１６は、スライド式の第１扉２１及び第２扉２２をスライド移動可能に支持する。開閉機構１６は、収納棚１２の前端部に設けられている。スライド扉１４は、開閉機構１６の前方に設けられる。すなわち、スライド扉１４は、開閉機構１６を介して収納棚１２の前方に設けられる。開閉機構１６は、例えば、収納棚１２の内部に取り付けてもよい。開閉機構１６は、収納棚１２の前方において第１扉２１及び第２扉２２を開閉可能に支持できるように構成されていればよい。
【００３８】
開閉機構１６は、第１扉２１と第２扉２２とを閉じた全閉時には隣接した第１扉２１と第２扉２２とをフラットな状態とする。また、開閉機構１６は、第１扉２１又は第２扉２２を開放した際には、第１扉２１と第２扉２２とを前後に重なり合わせる。
【００３９】
ここで、「フラットな状態」とは、例えば、第１扉２１と第２扉２２との隣接部において、第１扉２１の前面２１ａと第２扉２２の前面２２ａとの前後方向の位置の差が、５ｍｍ以下の状態である。この例では、例えば、前面２１ａの上端部と前面２２ａの下端部とにおける前面２１ａと前面２２ａとの前後方向の位置の差が、５ｍｍ以下の状態である。例えば、第１扉２１と第２扉２２とが左右方向に並ぶ場合には、第１扉２１と第２扉２２との隣接部は、前面２１ａ、２２ａの左右端部である。
【００４０】
図２（ａ）〜図２（ｄ）は、実施形態に係るスライド扉及びその開閉機構を備えたキャビネットを模式的に表す側面図である。  
図２（ａ）〜図２（ｄ）に表したように、収納棚１２は、例えば、棚板１２ｂを有する。棚板１２ｂは、収納棚１２の収納スペースＳＰ内に設けられ、収納スペースＳＰを上下に仕切ることにより、収納スペースＳＰを第１空間ＳＰ１と第２空間ＳＰ２とに分割する。第２空間ＳＰ２は、第１空間ＳＰ１の上に設けられる。第１空間ＳＰ１は、換言すれば、下部収納スペースである。第２空間ＳＰ２は、換言すれば、上部収納スペースである。棚板１２ｂは、必要に応じて設けられ、省略可能である。例えば、第１扉２１と第２扉２２とを左右に並べる構成の場合などには、棚板１２ｂを設けなくてもよい。
【００４１】
開閉機構１６は、第１支持部３１と、第２支持部３２と、連動機構３４と、を備える。なお、図２（ａ）〜図２（ｄ）では、便宜的に収納棚１２及び開閉機構１６の一部の図示を省略している。具体的には、収納棚１２の側面パネル１２ｃ及び開閉機構１６の側面パネル３６（いずれも図１参照）の図示を便宜的に省略している。側面パネル３６は、第１支持部３１、第２支持部３２、及び連動機構３４の側方に設けられ、これらが側方に露出してしまうことを抑制する。また、図２（ａ）〜図２（ｄ）では、図示を簡単にするため、便宜的に側面パネル１２ｃを省略した収納棚１２の側端面部分にハッチングを施している。
【００４２】
第１支持部３１、第２支持部３２、及び連動機構３４は、収納棚１２及びスライド扉１４の左右方向の両端に設けられる。すなわち、開閉機構１６は、収納棚１２及びスライド扉１４の左右方向の両端に設けられた一対の第１支持部３１と、一対の第２支持部３２と、一対の連動機構３４と、を備える。
【００４３】
例えば、第１扉２１及び第２扉２２が左右方向にスライド移動する場合には、第１支持部３１、第２支持部３２、及び連動機構３４が、収納棚１２及びスライド扉１４の上下方向の両端に設けられる。このように、第１支持部３１、第２支持部３２、及び連動機構３４は、収納棚１２及びスライド扉１４において、第１扉２１及び第２扉２２のスライド移動の方向と直交する方向の両端に設けられる。
【００４４】
但し、第１支持部３１、第２支持部３２、及び連動機構３４のそれぞれの数は、２つに限ることなく、１つでもよいし、３つ以上でもよい。第１支持部３１、第２支持部３２、及び連動機構３４の数は、第１支持部３１、第２支持部３２、及び連動機構３４のそれぞれで異なってもよい。
【００４５】
なお、収納棚１２及びスライド扉１４の左右方向の両端に設けられた一対の第１支持部３１は、左右対称な実質的に同じ構成である。一対の第２支持部３２及び一対の連動機構３４についても一対の第１支持部３１と同様である。従って、以下では、左右方向の一方の第１支持部３１、第２支持部３２、及び連動機構３４の構成について説明を行う。
【００４６】
第１支持部３１は、第１閉じ位置（図２（ａ）に示した位置）と第１開き位置（図２（ｃ）に示した位置）との間でスライド移動可能に第１扉２１を支持し、第１開き位置において第１扉２１を第２扉２２と前後に重なり合わせる。
【００４７】
第２支持部３２は、第２閉じ位置（図２（ａ）に示した位置）と第２開き位置（図２（ｄ）に示した位置）との間で移動可能に第２扉２２を支持する。この例において、第２支持部３２は、第２閉じ位置と第２開き位置との間でスライド移動可能に第２扉２２を支持し、第２開き位置において第２扉２２を第１扉２１と前後に重なり合わせる。例えば、第２扉２２がヒンジ式の場合には、第２支持部３２は、第２閉じ位置と第２開き位置との間で回転移動可能に第２扉２２を支持する。
【００４８】
第１扉２１が第１閉じ位置にある状態では、第１空間ＳＰ１の前方が第１扉２１によって覆われる。そして、第１扉２１が第１開き位置にある状態では、第１空間ＳＰ１が、前方に開放される。これにより、第１扉２１を第１開き位置に移動させることにより、第１空間ＳＰ１への物品の出し入れが可能となる。
【００４９】
同様に、第２扉２２が第２閉じ位置にある状態では、第２空間ＳＰ２の前方が第２扉２２によって覆われる。そして、第２扉２２が第２開き位置にある状態では、第２空間ＳＰ２が、前方に開放される。これにより、第２扉２２を第２開き位置に移動させることにより、第２空間ＳＰ２への物品の出し入れが可能となる。
【００５０】
第１支持部３１は、第１扉２１を第２扉２２に接近させる方向への操作のみで第１扉２１を第１閉じ位置から第１開き位置に移動させ、第１扉２１を第２扉２２から離間させる方向への操作のみで第１扉２１を第１開き位置から第１閉じ位置に移動させる。すなわち、この例では、第１扉２１を上方に移動させる操作のみで、第１扉２１が第１閉じ位置から第１開き位置に移動し、第１扉２１を下方に移動させる操作のみで、第１扉２１が第１開き位置から第１閉じ位置に移動する。
【００５１】
第２支持部３２は、第２扉２２を第１扉２１に接近させる方向への操作のみで第２扉２２を第２閉じ位置から第２開き位置に移動させ、第２扉２２を第１扉２１から離間させる方向への操作のみで第２扉２２を第２開き位置から第２閉じ位置に移動させる。すなわち、この例では、第２扉２２を下方に移動させる操作のみで、第２扉２２が第２閉じ位置から第２開き位置に移動し、第２扉２２を上方に移動させる操作のみで、第２扉２２が第２開き位置から第２閉じ位置に移動する。
【００５２】
第１扉２１は、第１閉じ位置にある状態において、第２閉じ位置にある第２扉２２と対向する第１側端面２１ｂを有する。この例において、第１側端面２１ｂは、換言すれば、第１扉２１の上端面である。第１側端面２１ｂは、例えば、第１扉２１の前面２１ａと略直交する。「略直交」とは、例えば、前面２１ａと第１側端面２１ｂとの成す角度が、８８°以上９２°以下の状態である。
【００５３】
なお、前面２１ａと第１側端面２１ｂとの間には、例えば、傾斜面状又は曲面状の面取り部などが設けられていてもよい。また、前面２１ａと前面２２ａとの間の隙間が小さくなるように設けられていれば、第１側端面２１ｂは、前面２１ａと略直交する平面に限ることなく、例えば、湾曲した曲面状などとしてもよい。
【００５４】
第２扉２２は、第２閉じ位置にある状態において、第１閉じ位置にある第１扉２１の第１側端面２１ｂと対向する第２側端面２２ｂを有する。この例において、第２側端面２２ｂは、換言すれば、第２扉２２の下端面である。第２側端面２２ｂは、例えば、第２扉２２の前面２２ａと略直交する。以下、第２側端面２２ｂは、第１側端面２１ｂと同様であるから、詳細な説明は省略する。
【００５５】
第１支持部３１は、第１扉２１の第１側端面２１ｂと反対側の端部を支持する。第１支持部３１は、例えば、第１扉２１の下端部を支持する。第２支持部３２は、第２扉２２の第２側端面２２ｂと反対側の端部を支持する。第２支持部３２は、例えば、第２扉２２の上端部を支持する。
【００５６】
また、第１支持部３１は、例えば、第１扉２１をスライド移動可能に支持するとともに、前後方向及び第１扉２１のスライド移動の方向と直交する方向を軸に第１扉２１を回動可能に支持する。すなわち、この例において、第１支持部３１は、前後方向及び上下方向と直交する左右方向を軸に第１扉２１を回動可能に支持する。同様に、第２支持部３２は、第２扉２２をスライド移動可能に支持するとともに、左右方向を軸に第２扉２２を回動可能に支持する。これにより、開閉機構１６では、図２（ｂ）〜図２（ｄ）に表したように、第１扉２１の下端部を軸に回動させて第１扉２１を傾斜させることができるとともに、第２扉２２の上端部を軸に回動させて第２扉２２を傾斜させることができる。
【００５７】
連動機構３４は、図２（ｂ）に表したように、第１扉２１の第１閉じ位置から第１開き位置への移動に連動させ、第１扉２１との干渉を避けるように第２扉２２を移動させる。これにより、第１扉２１の移動にともなう第１扉２１と第２扉２２との干渉を抑制することができる。
【００５８】
また、連動機構３４は、第２扉２２の第２閉じ位置から第２開き位置への移動に連動させ、第２扉２２との干渉を避けるように第１扉２１を移動させる。これにより、第２扉２２の移動にともなう第１扉２１と第２扉２２との干渉も抑制することができる。なお、第２扉２２に連動させて第１扉２１を移動させる動作は、第１扉２１に連動させて第２扉２２を移動させる動作と実質的に同じである。従って、以下では、第１扉２１を移動させる場合を例に、説明を行う。
【００５９】
連動機構３４は、図２（ｂ）に表したように、第１扉２１の第１閉じ位置から第１開き位置への移動に応じて、第１側端面２１ｂを第２側端面２２ｂから前後に離間させるように第１扉２１を傾斜させるとともに、第２扉２２を移動させて、第２側端面２２ｂを第１側端面２１ｂと反対側に離間させるように第２扉２２を傾斜させる。換言すると、連動機構３４は、第１扉２１の第１閉じ位置から第１開き位置への移動に応じて、第１扉２１と第２扉２２とを前後方向において反対側に移動させる。連動機構３４は、第１扉２１を第１閉じ位置から第１開き位置に移動させる際、第１扉２１を前後方向に移動させるとともに、第１扉２１の前後方向への移動とは反対方向に第２扉２２を移動させる。
【００６０】
連動機構３４は、例えば、第１扉２１の第１閉じ位置から第１開き位置への移動に応じて、第１支持部３１を軸に第１扉２１を回動させることにより、第１側端面２１ｂが後方に移動するように第１扉２１を傾斜させる。そして、連動機構３４は、例えば、第１扉２１の第１閉じ位置から第１開き位置への移動に応じて、第２支持部３２を軸に第２扉２２を回動させることにより、第２側端面２２ｂが前方に移動するように第２扉２２を傾斜させる。換言すれば、連動機構３４は、第１扉２１の傾斜に応じて第２扉２２を傾斜させ、前面２１ａと前面２２ａとが略平行となるようにする。「略平行」とは、例えば、前面２１ａと前面２２ａとの成す角度が、±２°以下の状態である。
【００６１】
これにより、第１扉２１の挙動及び第２扉２２の挙動を小さくしつつ、第１側端面２１ｂと第２側端面２２ｂとの離間量を大きくすることができ、第１扉２１と第２扉２２との干渉をより確実に抑制することができる。
【００６２】
また、上記のように第１扉２１と第２扉２２とを傾斜させた場合、第１扉２１を前後などに移動させる必要が無く、傾斜した状態の第１扉２１をそのまま上方に移動させるだけで、第１閉じ位置から第１開き位置に第１扉２１を移動させることができる。前述のように、第１扉２１を第２扉２２に接近させる方向への操作のみで第１扉２１を第１閉じ位置から第１開き位置に移動させ、第１扉２１を第２扉２２から離間させる方向への操作のみで第１扉２１を第１開き位置から第１閉じ位置に移動させることができる。
【００６３】
上記のように、連動機構３４は、例えば、第１扉２１の上方への移動に対し、第２側端面２２ｂが前方に向かうように第２扉２２を移動させ、第２扉２２を傾斜させる。連動機構３４は、第１扉２１の移動に連動して第２扉２２を移動させる際に、第１扉２１が第１閉じ位置から第１開き位置に移動するスライド移動の方向と異なる方向に第２扉２２を移動させる。但し、第１扉２１の移動に連動する第２扉２２の移動の方向は、第１扉２１との干渉を適切に抑制することができる任意の方向でよい。
【００６４】
また、連動機構３４は、第１扉２１の第１閉じ位置から第１開き位置への移動の開始と同時に第２扉２２を移動させる。
【００６５】
図３〜図６は、実施形態に係る開閉機構の一部を拡大して模式的に表す部分側面図である。  
図３は、図２（ａ）の領域Ａの部分を表す。  
図４は、領域Ａの部分を反対側から見た状態を表す。  
図５は、図２（ａ）の領域Ｂの部分を表す。  
図６は、領域Ｂの部分を反対側から見た状態を表す。
【００６６】
図３及び図４に表したように、第１支持部３１は、第１支持本体４０と、第１ヒンジ部４２と、第１アーム部４４と、を有する。第１支持本体４０は、図示を省略したフレームに上下方向（第１扉２１の移動方向）に移動可能に支持される。第１ヒンジ部４２は、回転軸４２ａを介して第１支持本体４０に回動自在に支持される。また、第１ヒンジ部４２は、第１扉２１の背面に取り付けられている。これにより、第１扉２１が、第１ヒンジ部４２を介して第１支持本体４０に回動可能に支持される。第１ヒンジ部４２は、例えば、第１扉２１の背面の下端部に取り付けられる。
【００６７】
第１アーム部４４は、第１ヒンジ部４２よりも上方に設けられる。この例では、第１アーム部４４が、第１ヒンジ部４２と別体に設けられ、第１ヒンジ部４２よりも上方において第１扉２１の背面に取り付けられている。第１アーム部４４は、例えば、第１ヒンジ部４２と一体的に設けてもよい。
【００６８】
図５及び図６に表したように、第２支持部３２は、第２支持本体５０と、第２ヒンジ部５２と、第２アーム部５４と、を有する。第２支持本体５０は、図示を省略したフレームに上下方向に移動可能に支持される。第２ヒンジ部５２は、回転軸５２ａを介して第２支持本体５０に回動自在に支持される。また、第２ヒンジ部５２は、第２扉２２の背面に取り付けられている。これにより、第２扉２２が、第２ヒンジ部５２を介して第２支持本体５０に回動可能に支持される。第２ヒンジ部５２は、例えば、第２扉２２の背面の上端部に取り付けられる。第２アーム部５４は、第２ヒンジ部５２よりも下方に設けられる。
【００６９】
連動機構３４は、第１ベース部６０と、第１可動部６２と、第１カム板６４と、第２ベース部７０と、第２可動部７２と、第２カム板７４と、連結板８０と、第１スライドレール８１と、第２スライドレール８２と、を有する。
【００７０】
第１ベース部６０は、第１支持本体４０を上下方向に移動可能に支持するフレームに保持される。第１ベース部６０は、上下方向や前後方向などに実質的に移動しない。第２ベース部７０は、第１ベース部６０と同様に、図示を省略したフレームに保持される。
【００７１】
第１スライドレール８１及び第２スライドレール８２は、上下方向に延びる。第１スライドレール８１及び第２スライドレール８２のそれぞれの一端は、第１ベース部６０に接続されている。第１スライドレール８１及び第２スライドレール８２のそれぞれの他端は、第２ベース部７０に接続されている。換言すれば、第１スライドレール８１及び第２スライドレール８２の下端が、第１ベース部６０に接続され、第１スライドレール８１及び第２スライドレール８２の上端が、第２ベース部７０に接続される。
【００７２】
第１支持本体４０及び第２支持本体５０は、図示を省略したフレームに支持されて上下方向に移動するとともに、第１スライドレール８１及び第２スライドレール８２に沿って上下方向に移動する。
【００７３】
第１スライドレール８１は、上下方向に延びる第１スライド溝８１ａを有する。第２スライドレール８２は、上下方向に延びる第２スライド溝８２ａを有する。第１スライド溝８１ａは、第１扉２１が上下方向に移動する際のガイドとなる。第２スライド溝８２ａは、第２扉２２が上下方向に移動する際のガイドとなる。すなわち、第１スライドレール８１は、第１扉２１用のスライドレールであり、第２スライドレール８２は、第２扉２２用のスライドレールである。
【００７４】
図７は、実施形態に係る開閉機構の一部を拡大して模式的に表す分解斜視図である。  
図４及び図７に表したように、第１ベース部６０の収納スペースＳＰの内側を向く側面６０ａには、第１スライドレール８１の第１スライド溝８１ａと連続する溝部６０ｂが設けられている。溝部６０ｂは、上下方向に延びる。溝部６０ｂの下端付近には、前方に向かって略三角形状に突出する凸部６０ｃが設けられている。また、溝部６０ｂの下端付近及び凸部６０ｃの部分は、左右方向に貫通する貫通孔状に形成されている。
【００７５】
第１アーム部４４の一部は、第１扉２１が第１閉じ位置にある状態において、第１ベース部６０の側面６０ａと対向する。第１アーム部４４は、収納スペースＳＰの外側に向かって突出する係合突起４４ａを有する。係合突起４４ａは、例えば、丸棒状である。係合突起４４ａは、第１扉２１が第１閉じ位置にある状態において、第１ベース部６０の凸部６０ｃの部分に挿通される。
【００７６】
第１可動部６２は、前後方向に移動可能に第１ベース部６０に取り付けられている。第１可動部６２は、溝部６０ｂ及び凸部６０ｃと対向する位置に配置される。第１可動部６２は、収納スペースＳＰの内側を向く側面に設けられた溝部６２ａを有する。溝部６２ａは、上下方向に延びる。第１可動部６２は、溝部６２ａを溝部６０ｂと対向させた位置と、溝部６２ａを凸部６０ｃと対向させた位置と、の間で前後方向に移動可能に第１ベース部６０に取り付けられる。溝部６２ａの前後方向の幅は、第１アーム部４４の係合突起４４ａの前後方向の幅（直径）に対応している。第１可動部６２は、第１扉２１が第１閉じ位置にある状態において、溝部６２ａを凸部６０ｃと対向させ、凸部６０ｃに挿通された係合突起４４ａと係合する。また、第１可動部６２は、収納スペースＳＰの外側を向く側面に設けられた係合突起６２ｂをさらに有する。係合突起６２ｂは、例えば、丸棒状である。
【００７７】
第１支持本体４０は、第１可動部６２と当接する傾斜面状の当接面４０ａを有する。第１支持本体４０は、第１扉２１の第１閉じ位置から第１開き位置への移動の際に、当接面４０ａの傾斜に沿って第１可動部６２を後方側に移動させる。
【００７８】
第１カム板６４は、例えば、上下方向に延びる平板状である。第１カム板６４は、第１ベース部６０の収納スペースＳＰの外側を向く側面と対向して設けられる。第１カム板６４は、上下方向に移動可能に第１ベース部６０に取り付けられている。第１カム板６４は、上下方向に対して傾斜した方向に略直線状に延びるカム溝６４ａを有する。カム溝６４ａは、第１可動部６２の係合突起６２ｂと係合している。
【００７９】
第１カム板６４の上端は、連結板８０の下端と接続されている。連結板８０の上端は、第２カム板７４の下端と接続されている。これにより、第１カム板６４と第２カム板７４とが、連結板８０を介して連結される。
【００８０】
第２ベース部７０、第２可動部７２、及び第２カム板７４のそれぞれの構成は、第１ベース部６０、第１可動部６２、及び第１カム板６４のそれぞれの構成と同様である。
【００８１】
第２ベース部７０の収納スペースＳＰの内側を向く側面７０ａには、第２スライドレール８２の第２スライド溝８２ａと連続する溝部７０ｂが設けられている。溝部７０ｂは、上下方向に延びる。溝部７０ｂの上端付近には、後方に向かって略三角形状に突出する凸部７０ｃが設けられている。また、溝部７０ｂの上端付近及び凸部７０ｃの部分は、左右方向に貫通する貫通孔状に形成されている。
【００８２】
第２アーム部５４の一部は、第２扉２２が第２閉じ位置にある状態において、第２ベース部７０の側面７０ａと対向する。第２アーム部５４は、収納スペースＳＰの外側に向かって突出する係合突起５４ａを有する。係合突起５４ａは、例えば、丸棒状である。係合突起５４ａは、第２扉２２が第２閉じ位置にある状態において、第２ベース部７０の凸部７０ｃの部分に挿通される。
【００８３】
第２可動部７２は、前後方向に移動可能に第２ベース部７０に取り付けられている。第２可動部７２は、溝部７０ｂ及び凸部７０ｃと対向する位置に配置される。第２可動部７２は、収納スペースＳＰの内側を向く側面に設けられた溝部７２ａを有する。溝部７２ａは、上下方向に延びる。第２可動部７２は、溝部７２ａを溝部７０ｂと対向させた位置と、溝部７２ａを凸部７０ｃと対向させた位置と、の間で前後方向に移動可能に第２ベース部７０に取り付けられる。溝部７２ａの前後方向の幅は、第２アーム部５４の係合突起５４ａの前後方向の幅（直径）に対応している。第２可動部７２は、第２扉２２が第１閉じ位置にある状態において、溝部７２ａを凸部７０ｃと対向させ、凸部７０ｃに挿通された係合突起５４ａと係合する。また、第２可動部７２は、収納スペースＳＰの外側を向く側面に設けられた係合突起７２ｂをさらに有する。係合突起７２ｂは、例えば、丸棒状である。
【００８４】
第２支持本体５０は、第２可動部７２と当接する傾斜面状の当接面５０ａを有する。第２支持本体５０は、第２扉２２の第２閉じ位置から第２開き位置への移動の際に、当接面５０ａの傾斜に沿って第２可動部７２を前方側に移動させる。
【００８５】
第２カム板７４は、例えば、上下方向に延びる平板状である。第２カム板７４は、第２ベース部７０の収納スペースＳＰの外側を向く側面と対向して設けられる。第２カム板７４は、上下方向に移動可能に第２ベース部７０に取り付けられている。第２カム板７４は、上下方向に対して傾斜した方向に略直線状に延びるカム溝７４ａを有する。カム溝７４ａは、第２可動部７２の係合突起７２ｂと係合している。
【００８６】
図８〜図１１は、実施形態に係る開閉機構の一部を拡大して模式的に表す部分側面図である。  
図８〜図１１は、第１扉２１を第１閉じ位置から第１開き位置に向けて移動させ始めた状態を模式的に表す。図８〜図１１は、それぞれ図３〜図６の表す部分に対応している。
【００８７】
図８及び図９に表したように、第１扉２１を第１閉じ位置から第１開き位置に向けて移動させると、第１扉２１の上方への移動にともなって第１支持本体４０が上方に移動する。第１支持本体４０が上方に移動すると、当接面４０ａと第１可動部６２との当接により、当接面４０ａの傾斜に沿って第１可動部６２が後方に移動する。
【００８８】
第１可動部６２が後方に移動すると、溝部６２ａと係合突起４４ａとの係合により、第１アーム部４４が第１可動部６２とともに後方に移動する。これにより、第１扉２１が第１ヒンジ部４２の回転軸４２ａを軸に回動し、第１側端面２１ｂが後方に移動するように第１扉２１を傾斜させることができる。
【００８９】
また、第１可動部６２が後方に移動すると、溝部６２ａが凸部６０ｃと対向した状態から、溝部６２ａが溝部６０ｂと対向した状態となる。これにより、第１アーム部４４の係合突起４４ａが、溝部６０ｂを介して第１スライドレール８１の第１スライド溝８１ａに侵入し、第１扉２１が、第１スライドレール８１に沿って上方に移動することが可能となる。従って、第１支持部３１及び連動機構３４では、第１扉２１を第２扉２２に接近させる方向への操作のみで、第１扉２１を第１閉じ位置から第１開き位置に移動させることができる。
【００９０】
さらに、第１可動部６２が後方に移動すると、第１可動部６２の係合突起６２ｂと第１カム板６４のカム溝６４ａとの係合により、第１カム板６４が、上方に移動する。第１カム板６４が上昇すると、連結板８０を介して第２カム板７４も上昇する。これにより、第１扉２１の第１閉じ位置から第１開き位置への移動の開始と同時に第２扉２２を移動させることが可能となる。
【００９１】
図１０及び図１１に表したように、第２カム板７４が上昇すると、第２カム板７４のカム溝７４ａと第２可動部７２の係合突起７２ｂとの係合により、第２可動部７２が前方に移動する。
【００９２】
第２可動部７２が前方に移動すると、第２可動部７２の溝部７２ａと第２アーム部５４の係合突起５４ａとの係合により、第２アーム部５４が第２可動部７２とともに前方に移動する。これにより、第２扉２２が第２ヒンジ部５２の回転軸５２ａを軸に回動し、第２側端面２２ｂが前方に移動するように第２扉２２を傾斜させることができる。すなわち、第１扉２１の第１閉じ位置から第１開き位置への移動に連動させて、第１扉２１との干渉を避けるように第２扉２２を移動させることができる。
【００９３】
このように、連動機構３４は、第１扉２１の第１閉じ位置から第１開き位置への移動の操作力を機械的に第２扉２２に伝達することにより、第２扉２２を移動させる。第１扉２１を第１開き位置から第１閉じ位置に移動させる場合には、上記と反対の手順により、第１扉２１の第１開き位置から第１閉じ位置への移動の操作力が機械的に第２扉２２に伝達され、第２扉２２が移動した位置（傾斜した状態）から第２閉じ位置に戻る。第１支持部３１及び連動機構３４では、第１扉２１を第２扉２２から離間させる方向への操作のみで、第１扉２１を第１開き位置から第１閉じ位置に移動させることができる。
【００９４】
また、第２扉２２を第２閉じ位置から第２開き位置に移動させる場合には、上記と同様の手順により、第２扉２２の第２閉じ位置から第２開き位置への移動の操作力が、機械的に第１扉２１に伝達され、第１扉２１が移動する。
【００９５】
第２扉２２を第２閉じ位置から第２開き位置に移動させる際には、第２支持本体５０の下方への移動にともなって、当接面５０ａと第２可動部７２との当接により、当接面５０ａの傾斜に沿って第２可動部７２が前方に移動する。第２可動部７２が前方に移動すると、溝部７２ａが凸部７０ｃと対向した状態から、溝部７２ａが溝部７０ｂと対向した状態となる。これにより、第２アーム部５４の係合突起５４ａが、溝部７０ｂを介して第２スライドレール８２の第２スライド溝８２ａに侵入し、第２扉２２が、第２スライドレール８２に沿って下方に移動することが可能となる。
【００９６】
以上、説明したように、本実施形態に係るスライド扉１４の開閉機構１６によれば、第１扉２１の第１閉じ位置から第１開き位置への移動に連動させ、第１扉２１との干渉を避けるように第２扉２２を移動させる連動機構３４を有するため、全閉時に第１扉２１と第２扉２２との間に設けられる隙間ＧＰを小さくしても、開放時の第１扉２１と第２扉２２との干渉を抑制することができる。例えば、隙間ＧＰを５ｍｍ程度に設定することが可能となり、第１扉２１と第２扉２２との干渉を抑制しつつ、スライド扉１４において高いデザイン性を得ることができる。また、第１扉２１及び第２扉２２において、全閉時に相対する側端面２１ｂ、２２ｂの形状を斜面状に形成する必要なども無い。例えば、第１扉２１及び第２扉２２の各側端面２１ｂ、２２ｂを前面２１ａ、２２ａと略直交する面とすることができる。従って、開放時のデザイン性の低下も抑制することができる。
【００９７】
また、開閉機構１６では、連動機構３４が、第１扉２１を第１閉じ位置から第１開き位置に移動させる際、第１扉２１を前後方向に移動させるとともに、第１扉２１の前後方向への移動とは反対方向に第２扉２２を移動させる。これにより、第１扉２１との干渉を避けるように第２扉２２を移動させる際の挙動を小さく抑えることが可能となる。例えば、第１扉２１を移動させた際に、第２扉２２が大きく動き、使用者に違和感を与えてしまうことなどを抑制することができる。従って、全閉時に第１扉２１と第２扉２２との間に設けられる隙間ＧＰをより小さく抑えることが可能となり、デザイン性をより向上させることができる。さらには、第１扉２１及び第２扉２２の各側端面２１ｂ、２２ｂの幅（扉の奥行）を大きく設けた場合などにも、僅かな挙動で扉同士の干渉を避けることができる。なお、第１扉２１及び第２扉２２の前後方向への移動は、第１扉２１及び第２扉２２を傾斜させる移動に限ることなく、前面２１ａ、２２ａを略垂直な状態に保ったまま第１扉２１及び第２扉２２を前後にスライドさせる移動でもよい。但し、第２扉２２の移動の方向は、第１扉２１のスライド移動の方向と同じでもよい。例えば、第１扉２１を上方にスライド移動させる際に、第２扉２２を上方に移動させて第１扉２１との干渉を抑制してもよい。
【００９８】
また、開閉機構１６では、第１支持部３１は、第１扉２１を第２扉２２に接近させる方向への操作のみで第１扉２１を第１閉じ位置から第１開き位置に移動させ、第１扉２１を第２扉２２から離間させる方向への操作のみで第１扉２１を第１開き位置から第１閉じ位置に移動させる。これにより、例えば、第１扉２１を前方に引いた後にスライド移動させるなどの操作が不要となり、第１扉２１の開閉操作を簡単にし、スライド扉１４の使い勝手を向上させることができる。但し、第１支持部３１は、例えば、第１扉２１を前後方向に移動させた後に、第１扉２１を上下方向にスライド移動させる構成などとしてもよい。
【００９９】
また、開閉機構１６では、連動機構３４が、第１扉２１の第１閉じ位置から第１開き位置への移動に応じて、第１側端面２１ｂを第２側端面２２ｂから前後に離間させるように第１扉２１を傾斜させるとともに、第２扉２２を移動させて、第２側端面２２ｂを第１側端面２１ｂと反対側に離間させるように第２扉２２を傾斜させる。このように、第１扉２１及び第２扉２２を傾斜させることで、第２扉２２の挙動をより小さくすることが可能となり、全閉時に第１扉２１と第２扉２２との間に設けられる隙間ＧＰをより小さく抑えることができる。例えば、第１扉２１を第２扉２２に接近又は離間させる方向への操作のみで開閉可能とした場合にも、第１扉２１及び第２扉２２を傾斜させるだけで扉同士の干渉を抑制でき、簡単な構成で実現することができる。また、第１扉２１及び第２扉２２の挙動を小さくすることにより、例えば、第１扉２１及び第２扉２２の挙動によって収納棚１２の収納スペースが圧迫されてしまうことを抑制することができる。
【０１００】
また、開閉機構１６では、連動機構３４が、第１扉２１の第１閉じ位置から第１開き位置への移動の開始と同時に第２扉２２を移動させる。これにより、第１扉２１の開放動作と同時に第２扉２２の移動が始まるため、第２扉２２の挙動をより小さくすることが可能となり、全閉時に第１扉２１と第２扉２２との間に設けられる隙間ＧＰをより小さく抑えることができる。
【０１０１】
なお、第２扉２２の移動の開始は、必ずしも第１扉２１の移動の開始と同時でなくてもよい。例えば、第１扉２１が所定の位置まで移動した際に、第２扉２２の移動を開始してもよい。
【０１０２】
また、開閉機構１６では、連動機構３４が、第１扉２１の第１閉じ位置から第１開き位置への移動の操作力を機械的に第２扉２２に伝達することにより、第２扉２２を移動させる。これにより、第１扉２１の第１閉じ位置から第１開き位置への移動の開始と同時に第２扉２２を移動させる連動機構３４の構成を、簡単な構成で実現することができる。
【０１０３】
なお、操作力を機械的に伝達する機構は、上記に限ることなく、第１扉２１と第２扉２２との間で操作力を伝達可能な任意の構成でよい。また、連動機構３４は、操作力を機械的に伝達する構成に限ることなく、例えば、第１扉２１の移動をセンサなどで検出し、検出結果に応じてモータなどを駆動することにより、第２扉２２を連動させる構成などでもよい。
【０１０４】
また、開閉機構１６では、連動機構３４が、第２扉２２の第２閉じ位置から第２開き位置への移動に連動させ、第２扉２２との干渉を避けるように第１扉２１を移動させる。このように、第１扉２１及び第２扉２２のどちらもスライド移動可能とし、第２扉２２の移動に連動させて第１扉２１を移動させることにより、スライド扉１４の使い勝手をより向上させることができる。例えば、第１扉２１及び第２扉２２を上下に隣接させ、第１扉２１及び第２扉２２を上下にスライド移動させる場合には、使用者の高さに合わせた最適な高さで第１扉２１及び第２扉２２の開閉が可能となる。また、例えば、第１扉２１及び第２扉２２を左右に隣接させ、第１扉２１及び第２扉２２を左右にスライド移動させる場合には、左右どちらからでも開閉することが可能となり、使用場所の限定などを抑制することができる。
【０１０５】
図１２は、実施形態に係るスライド扉及びその開閉機構を備えたキャビネットの変形例を模式的に表す側面図である。  
なお、上記実施形態と機能・構成上実質的に同じものには、同符号を付し、詳細な説明は、省略する。  
上記実施形態では、連動機構３４が、第１扉２１の第１閉じ位置から第１開き位置への移動に応じて、第１支持部３１を軸に第１扉２１を回動させることにより、第１側端面２１ｂが後方に移動するように第１扉２１を傾斜させ、第１扉２１の第１閉じ位置から第１開き位置への移動に応じて、第２支持部３２を軸に第２扉２２を回動させることにより、第２側端面２２ｂが前方に移動するように第２扉２２を傾斜させている。
【０１０６】
上記と反対に、図１２に表したように、連動機構３４が、第１扉２１の第１閉じ位置から第１開き位置への移動に応じて、第１支持部３１を軸に第１扉２１を回動させることにより、第１側端面２１ｂが前方に移動するように第１扉２１を傾斜させ、第１扉２１の第１閉じ位置から第１開き位置への移動に応じて、第２支持部３２を軸に第２扉２２を回動させることにより、第２側端面２２ｂが後方に移動するように第２扉２２を傾斜させてもよい。
【０１０７】
図１３（ａ）〜図１３（ｃ）は、実施形態に係るスライド扉及びその開閉機構を備えたキャビネットの変形例を模式的に表す側面図である。  
図１３（ａ）〜図１３（ｃ）に表したように、この例において、第１支持部３１は、第１扉２１を第１閉じ位置から第１開き位置に移動させる際に、前方斜め上方に第１扉２１を移動させる。第１支持部３１は、第１閉じ位置から第１開き位置への動き始めにおいて、第２扉２２との干渉が回避される位置まで前方側に第１扉２１を移動させる。
【０１０８】
この際、連動機構３４は、第１扉２１の第１閉じ位置から第１開き位置への移動に応じて、第２扉２２を上方に移動させる。これにより、第１扉２１を前方斜め上方に移動させる際に、第１扉２１と第２扉２２との干渉を抑制することができる。このように、第２扉２２の移動の方向は、第１扉２１のスライド移動の方向と同じ方向でもよい。
【０１０９】
また、第１扉２１を前方斜め上方に移動させることにより、例えば、第１扉２１を第２扉２２に接近させる方向への操作のみで第１扉２１を第１閉じ位置から第１開き位置に移動させることもできる。
【０１１０】
図１４（ａ）〜図１４（ｃ）は、実施形態に係るスライド扉及びその開閉機構を備えたキャビネットの変形例を模式的に表す側面図である。  
図１４（ａ）〜図１４（ｃ）に表したように、この例においても、第１支持部３１は、第１扉２１を第１閉じ位置から第１開き位置に移動させる際に、前方斜め上方に第１扉２１を移動させる。
【０１１１】
連動機構３４は、第１扉２１の第１閉じ位置から第１開き位置への移動に応じて、第２扉２２を後方に移動させる。これにより、第１扉２１を前方斜め上方に移動させる際の、第１扉２１の前方への移動量を小さくすることができる。
【０１１２】
第１扉２１を第１閉じ位置から第１開き位置に移動させる際の第２扉２２の移動の方向は、例えば、前方でもよい。このように、第１扉２１を第１閉じ位置から第１開き位置に移動させる際の第２扉２２の移動の方向は、第１扉２１との干渉を適切に抑制することができる任意の方向でよい。
【０１１３】
上記各実施形態では、キャビネット１０に用いられるスライド扉１４及びその開閉機構１６を示している。スライド扉１４及び開閉機構１６は、キャビネット１０に用いられるものに限ることなく、例えば、空間を仕切るためのスライド扉や窓に取り付けられるスライド扉などでもよい。開閉機構１６の開閉するスライド扉は、任意の用途のスライド扉でよい。
【０１１４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、キャビネット１０、スライド扉１４、開閉機構１６などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１５】
１０ キャビネット、  １２ 収納棚、  １４ スライド扉、  １６ 開閉機構、  ２１ 第１扉、  ２２ 第２扉、  ３１ 第１支持部、  ３２ 第２支持部、  ３４ 連動機構、  ３６ 側面パネル、  ４０ 第１支持本体、  ４２ 第１ヒンジ部、  ４４ 第１アーム部、  ５０ 第２支持本体、  ５２ 第２ヒンジ部、  ５４ 第２アーム部、  ６０ 第１ベース部、  ６２ 第１可動部、  ６４ 第１カム板、  ７０ 第２ベース部、  ７２ 第２可動部、  ７４ 第２カム板、  ８０ 連結板、  ８１ 第１スライドレール、  ８２ 第２スライドレール
【図１】
2020026657.tif 000003
【図２】
2020026657.tif 000004
【図３】
2020026657.tif 000005
【図４】
2020026657.tif 000006
【図５】
2020026657.tif 000007
【図６】
2020026657.tif 000008
【図７】
2020026657.tif 000009
【図８】
2020026657.tif 000010
【図９】
2020026657.tif 000011
【図１０】
2020026657.tif 000012
【図１１】
2020026657.tif 000013
【図１２】
2020026657.tif 000014
【図１３】
2020026657.tif 000015
【図１４】
2020026657.tif 000016